(57)【特許請求の範囲】
【請求項１】
デジタルテレビ放送視聴用ICカード（B-CASカード）により、デジタルテレビ受像機（デジタルTV）でのデジタルテレビ放送の視聴制御を行うことができるデジタルテレビ放送視聴制御方法において、
デジタルTVと視聴制御装置が連結具で接続され、
前記デジタルTVに付属のB-CASカードが前記視聴制御装置にセットされ、
前記デジタルTVをリモコンでONにするとECM（Entitlement Control Message）が前記デジタルTVから前記視聴制御装置に転送され、前記視聴制御装置内で課金支払い状況が検出され、
課金支払いが検出された場合は、デジタルテレビ放送と共に送られているECMが前記デジタルTVから前記視聴制御装置のB-CASカードに転送され、当該B-CASカードから前記デジタルTVにスクランブルキーが戻され、そのスクランブルキーによりデジタルテレビ放送及び有料テレビ放送のスクランブルが解除されて、前記デジタルTVで当該デジタルテレビ放送及び有料テレビ放送を受像することができ、
課金支払いが検出されない場合は、前記ECMが前記視聴制御装置のB-CASカードに転送されるが、B-CASカードからデジタルTVにスクランブルキーが送られず、当該スクランブルキーの代わりに、スクランブルを解除できない偽スクランブルキーが前記視聴制御装置からデジタルTVに送られるか、又は、前記ECMを転送させず、ECM転送時間及びB-CASカードの処理時間経過後に当該スクランブルキーの代わりに前記偽スクランブルキーがデジタルTVに送られて、デジタルTVがデジタルテレビ放送及び有料テレビ放送のスクランブルを解除できず、当該デジタルテレビ放送及び有料テレビ放送を受像できないようにするようにした、
ことを特徴とするデジタルテレビ放送視聴制御方法。
【請求項２】
請求項１記載のデジタルテレビ放送視聴制御方法において、
偽スクランブルキーが、データ形式は正規のスクランブルキーと同じであり、データ内容が正規のスクランブルキーの内容と異なるものである、
ことを特徴とするデジタルテレビ放送視聴制御方法。
【請求項３】
請求項１又は請求項２記載のデジタルテレビ放送視聴制御方法において、
リモコンがデジタルTVに付属のリモコンである、
ことを特徴とするデジタルテレビ放送視聴制御方法。
【請求項４】
請求項１乃至請求項３のいずれか１項記載のデジタルテレビ放送視聴制御方法において、
リモコンでデジタルTVの電源をOFFにすると、デジタルTVが前記B-CASカードに対してECMの転送を停止するようにした、
ことを特徴とするデジタルテレビ放送視聴制御方法。
【請求項５】
請求項１乃至請求項４のいずれか１項記載のデジタルテレビ放送視聴制御方法において、
課金支払いが検出されると、タイマー時間の計測、PETカードの有効時間の計測といった計測が行われ、課金の残金額、有効時間といった課金支払い状況が表示器に表示される、ことを特徴とするデジタルテレビ放送視聴制御方法。
【請求項６】
請求項１乃至請求項５のいずれか１項記載のデジタルテレビ放送視聴制御方法において、
視聴制御装置でデジタルTVからB-CASカードへのECMの転送状況を検出し、ECMが一定時間以上転送されない場合は、デジタルTVの電源がOFFになったと判断して、計測を停止して表示器への課金支払い状況の表示をOFFにする、
ことを特徴とするデジタルテレビ放送視聴制御方法。
【請求項７】
請求項１乃至請求項６のいずれか１項記載のデジタルテレビ放送視聴制御方法において、
視聴制御装置でデジタルTVからB-CASカードへのECMの転送状況を検出し、ECM検出時間を、地上デジタル放送におけるECMの転送周期時間以上の時間に設定し、設定された検出時間内でECMの検出を行い、ECMが検出されない（無の）ときはデジタルTVがOFFであるか無料放送受信であることを検出して、課金なしにする、
ことを特徴とするデジタルテレビ放送視聴制御方法。
【請求項８】
請求項１乃至請求項７のいずれか１項記載のデジタルテレビ放送視聴制御方法において、
無料放送はノンスクランブルで送って、課金を支払うことなく自由に受信可能とした、ことを特徴とするデジタルテレビ放送視聴制御方法。
【請求項９】
デジタルテレビ放送視聴用ICカード（B-CASカード）により、デジタルTVでのデジタルテレビ放送の視聴制御を行うことができるデジタルテレビ放送視聴制御システムにおいて、
デジタルTVに接続される視聴制御装置と、デジタルTVと視聴制御装置を接続する連結具と、課金検出器を備え、
前記視聴制御装置は、前記B-CASカードを実装可能な実装部と、スイッチ（SW）と、マイコン（CPU）と、課金料金の支払いを検出する課金検出器と、検出された課金支払い状況を表示する表示部を備え、
前記視聴制御装置のB-CASカード実装部にB-CASカードが実装され、当該B-CASカードとデジタルTVとが前記連結具を通して接続され、
前記スイッチはデジタルTVから前記B-CASカードに転送されるECMと、B-CASカードからデジタルTVに戻されるスクランブルキーの通過、阻止を切り替え可能であり、
前記マイコンは、前記課金検出器で課金の支払いが検出された場合は、デジタルTVからのECMは前記スイッチを通過してB-CASカードに転送できるように、B-CASカードからのスクランブルキーは当該スイッチを通過してデジタルTVに戻ることができるように、前記スイッチを制御し、前記課金検出器で課金の支払いが検出されない場合は、デジタルTVからのECMは前記スイッチを通過してB-CASカードに転送されるが、B-CASカードからデジタルTVに送られるスクランブルキーは停止させるように前記スイッチを制御し、当該スクランブルキーの代わりに、スクランブルを解除できない偽スクランブルキーをデジタルTVに送るようにした、
ことを特徴とするデジタルテレビ放送視聴制御システム。
【請求項１０】
請求項９記載のデジタルテレビ放送視聴制御システムにおいて、
マイコンは、課金検出器が課金の支払いを検出しない場合に、デジタルTVからB-CASカードに送られるECMを止めるようにスイッチを制御し、ECM転送時間及びB-CASカードの処理時間経過後に、当該スクランブルキーの代わりに、スクランブルを解除できない偽スクランブルキーをデジタルTVに送る、
ことを特徴とするデジタルテレビ放送視聴制御システム。
【請求項１１】
請求項９又は請求項１０記載のデジタルテレビ放送視聴制御システムにおいて、
デジタルTVと視聴制御装置を接続する接続具は、デジタルTVのB-CASカード実装部に接続可能なTV接続部と、視聴制御装置に接続可能な装置接続部を備えた、
ことを特徴とするデジタルテレビ放送視聴制御システム。
【請求項１２】
請求項９乃至請求項１１のいずれか１項記載のデジタルテレビ放送視聴制御システムにおいて、
課金検出器が視聴制御装置内に組み込まれるか、視聴制御装置に外付けされるものである、
ことを特徴とするデジタルテレビ放送視聴制御システム。
【発明の詳細な説明】
【技術分野】
【０００１】
本願発明はデジタルテレビ放送の視聴制御方法及びデジタルテレビ放送視聴制御システムに関するものである。
【背景技術】
【０００２】
病院、ホテルなどの施設では無料のテレビジョン放送（以下「テレビ放送という」）が有料テレビ放送として行われていることがある。有料のテレビ放送システム（ペイテレビシステム）は、無料で視聴されないように視聴制限をかけておき、有料で視聴制限を解除すると視聴できるようになっている。病院や老人ホーム等の施設におけるレンタルテレビも有料のペイテレビシステムである。
【０００３】
ペイテレビシステムとしては、専用の視聴制御装置をはじめとする各種端末機器を用いたものや、VOD（ビデオオンデマンド）などのシステムが一般的である。
【０００４】
視聴制限解除方法には各種方法があり、例えば、予めPETカード（ポリエチレンテレフタレート（PET）樹脂を材料として作られたカード）を購入して視聴するPETカード方式、テレビ受信機（TV受信機）に取り付けられたコインタイマーにコインを投入して所定時間だけ視聴可能とするコインタイマー方式等がある。
【０００５】
PETカード方式やコインタイマー方式の視聴制限解除方法の一例を図２に示す。これは、アナログテレビ信号の視聴制御方法の一例であり、有線のリモートコントローラ（以下「リモコン」という。）Ｅで視聴制御装置ＣのCPUを制御して、RFスイッチ（RF SW）ＤをON/OFFしたり、アナログテレビ（アナログTV）ＡのAC電源をON/OFFしたりして視聴制御するものである。図２では通常は視聴制限されていてアナログTVでテレビ放送を視聴することができないが、コインタイマーやPRTリーダー等の課金検出器Ｇにコインが投入されたり、PETカードが挿入されたりすると、CPUで視聴制限が解除され、リレーＢがONとなりAC100VがアナログTVに給電されて、アナログTVでテレビ放送を視聴できるようになる。図２の表示器Ｈは投入されたコインの残額やPETカードの有効時間等を表示できる。
【０００６】
テレビ放送の視聴制御にはデジタルテレビ信号の視聴制御もある。その一例として特許文献１に記載の方式がある。
【０００７】
特許文献１の視聴制限方式は、デジタルテレビ受信機（デジタルTV）を改造せずに、視聴制限付きで有料放送を提供するデジタルテレビ放送視聴システムである。このデジタルテレビ放送視聴システムは、自主放送送出機能を有するヘッドエンド装置から有料コンテンツとともに、中間鍵生成関数、本鍵生成関数および全カードIDをデータ放送のBML（Broadcast Markup Language）コンテンツ内に含めてホテルの各室に配信する。各室内にPETカードリーダを有する端末装置を設置し、各室の端末装置をLANでデジタルTVに接続してある。有料コンテンツの視聴希望者はカード券売機で購入し、そのPETカードをPETカードリーダに差し込むと、そのデータがPETカードリーダに読み取られ、デジタルTVから受信した中間鍵データとPETカードから得られた認証IDデータに基づいて本鍵データを生成し、その本鍵データをデジタルTVへ送信する。デジタルTVは端末装置から受信した本鍵データと、自ら生成した本鍵データとを照合して、両者が一致したとき、カードIDの認証後に、視聴制限を解除して視聴可能となる。
【先行技術文献】
【特許文献】
【０００８】
【特許文献１】特開２０１０−０１６５５７
【０００９】
前記したアナログテレビ信号の視聴制御方式やPETカード方式やコインタイマー方式の場合、次のような難点がある。
（１）図２に示すアナログテレビ信号の視聴制御方法を、地上デジタルテレビ放送に適用すると、RF信号のON/OFF、又はアナログTVの主電源のON/OFFにより、視聴制御を実現することになるため、制御をかけてはいけないEPG（電子番組表）データなどの信号までも止めてしまいEPGを表示できなくなる。
（２）テレビを視聴している間だけタイマーを動作させるために、専用のリモコンを使用するため、使い勝手が悪い。
（３）テレビに付属のリモコンが使用できない。
【００１０】
特許文献１の場合、次のような難点がある。
（１）デジタルテレビ放送以外の有料放送の視聴制御はできるが、無料放送である地上デジタルテレビ放送／BSデジタルテレビ放送の視聴制御は行うことができない。このため、ホテルなどで採用されている、デジタルテレビ放送は無料で視聴でき、有料放送のみを視聴制限するシステムでは有効であるが、病院のレンタルテレビのように、課金なしではデジタルテレビ放送を視聴不可とするシステムでは、デジタルテレビ放送を無料視聴できるため、そのようなシステムには不適である。
【発明の概要】
【発明が解決しようとする課題】
【００１１】
本願発明の課題は次の点にある。
１．病院内に設置されるテレビのように、課金なしではデジタルテレビ放送を視聴不可とするシステムで有効に視聴制限ができ（課金支払いなしではデジタルテレビ放送を視聴できない）、スクランブルのかからない無料の放送（院内の案内チャンネルや自主放送チャンネルなど）は無料で自由に視聴可能とする。
２．地上デジタルテレビ放送やBSデジタルテレビ放送を視聴制限しても、制限をかけてはならないEPGデータなどの情報に影響が及ばないようにする。
３．特殊な改造を行ったTV受信機を必要とせず、市販（汎用）のデジタルTVに本願発明の視聴制御装置を接続するだけで視聴制御ができ、送出側（ヘッドエンド）への高価な付属機器の設置を必要としない。
【課題を解決するための手段】
【００１２】
本願発明のデジタルテレビ放送視聴制御方法は、デジタルテレビ放送視聴用ICカード（B-CASカード）により、デジタルTVでのデジタルテレビ放送の視聴制御を行うことができるデジタルテレビ放送視聴制御方法において、デジタルTVと視聴制御装置が連結具で接続され、前記デジタルTVに付属のB-CASカードが前記視聴制御装置にセットされ、前記デジタルTVをリモコンでONにするとECM（Entitlement Control Message）が前記デジタルTVから前記視聴制御装置に転送され、前記視聴制御装置内で課金支払い状況が検出され、課金支払いが検出された場合は、デジタルテレビ放送と共に送られているECMが前記デジタルTVから前記視聴制御装置のB-CASカードに転送され、当該B-CASカードから前記デジタルTVにスクランブルキーが戻され、そのスクランブルキーによりデジタルテレビ放送及び有料テレビ放送のスクランブルが解除されて、前記デジタルTVで当該デジタルテレビ放送及び有料テレビ放送を受像することができ、課金支払いが検出されない場合は、前記ECMが前記視聴制御装置のB-CASカードに転送されるが、B-CASカードからデジタルTVにスクランブルキーが送られず、当該スクランブルキーの代わりに、スクランブルを解除できない偽スクランブルキーが前記視聴制御装置からデジタルTVに送られるか、又は、前記ECMを転送させず、ECM転送時間及びB-CASカードの処理時間経過後に当該スクランブルキーの代わりに前記偽スクランブルキーがデジタルTVに送られて、デジタルTVがデジタルテレビ放送及び有料テレビ放送のスクランブルを解除できず、当該デジタルテレビ放送及び有料テレビ放送を受像できないようにするものである。
【００１３】
前記偽スクランブルキーは、データ形式は正規のスクランブルキーと同じであり、データ内容が正規のスクランブルキーの内容と異なるものである。
【００１４】
前記リモコンには、デジタルTVに付属のリモコンを使用することができる。
【００１５】
本願発明のデジタルテレビ放送視聴制御方法は、前記デジタルテレビ放送視聴制御方法において、前記リモコンでデジタルTVの電源をOFFにすると、デジタルTVが前記B-CASカードに対してECMの転送を停止するようにすることができる。また、課金支払いが検出されると、タイマー時間の計測、PETカードの有効時間の計測といった計測が行われ、課金の残金額、有効時間といった課金支払い状況が表示器に表示されるようにすることもできる。
【００１６】
本願発明のデジタルテレビ放送視聴制御方法は、前記デジタルテレビ放送視聴制御方法において、視聴制御装置でデジタルTVからB-CASカードへのECMの転送状況を検出し、ECMが一定時間以上転送されない場合は、デジタルTVの電源がOFFになったと判断して、前記計測を停止して表示器への課金支払い状況の表示をOFFにすることができる。この場合、前記ECM検出時間を、地上デジタル放送におけるECMの転送周期時間以上の時間に設定し、設定された検出時間内でECMの検出を行い、ECMが検出されない（無の）ときはデジタルTVがOFFであるか無料放送受信であることを検出して、課金なしにすることもできる。
【００１７】
本願発明のデジタルテレビ放送視聴制御方法は、前記何れの場合も、無料放送（院内の案内チャンネル、自主放送チャンネル等）はノンスクランブルで送って、課金を支払うことなく自由に受信可能としてある。
【００１８】
本願発明のデジタルテレビ放送視聴制御システムは、B-CASカードにより、デジタルTVでのデジタルテレビ放送の視聴制御を行うことができるデジタルテレビ放送視聴制御システムにおいて、デジタルTVに接続される視聴制御装置と、デジタルTVと視聴制御装置を接続する連結具と、課金検出器を備え、前記視聴制御装置は、前記B-CASカードを実装可能な実装部と、スイッチ（SW）と、マイコン（CPU）と、課金料金の支払いを検出する課金検出器と、検出された課金支払い状況を表示する表示部を備え、前記視聴制御装置のB-CASカード実装部にB-CASカードが実装され、当該B-CASカードとデジタルTVとが前記連結具を通して接続され、前記スイッチはデジタルTVから前記B-CASカードに転送されるECMと、B-CASカードからデジタルTVに戻されるスクランブルキーの通過、阻止を切り替え可能であり、前記マイコンは、前記課金検出器で課金の支払いが検出された場合は、デジタルTVからのECMは前記スイッチを通過してB-CASカードに転送できるように、B-CASカードからのスクランブルキーは当該スイッチを通過してデジタルTVに戻ることができるように、前記スイッチを制御し、前記課金検出器で課金の支払いが検出されない場合は、デジタルTVからのECMは前記スイッチを通過してB-CASカードに転送されるが、B-CASカードからデジタルTVに送られるスクランブルキーは停止させるように前記スイッチを制御し、当該スクランブルキーの代わりに、スクランブルを解除できない偽スクランブルキーをデジタルTVに送るようにしたものである。
【００１９】
本願発明のデジタルテレビ放送視聴制御システムでは、課金検出器が課金の支払いを検出しない場合に、マイコンにより、デジタルTVからB-CASカードに送られるECMを止めるようにスイッチを制御し、ECM転送時間及びB-CASカードの処理時間経過後に、当該スクランブルキーの代わりに、スクランブルを解除できない偽スクランブルキーをデジタルTVに送るようにすることができる。
【００２０】
本願発明のデジタルテレビ放送視聴制御システムにおける接続具は、デジタルTVのB-CASカード実装部に接続可能なTV接続部と、視聴制御装置に接続可能な装置接続部を備えたものである。
【００２１】
本願発明のデジタルテレビ放送視聴制御システムにおける課金検出器は、視聴制御装置内に組み込むことも、視聴制御装置に外付けされるものであっても良い。
【発明の効果】
【００２２】
本願発明のデジタルテレビ放送視聴制御方法は次のような効果がある・
１．課金支払いなしではデジタルテレビ放送を視聴不可とするレンタルテレビ等で、デジタルテレビ放送を有効に視聴制限することができ、案内放送のようなノンスクランブル放送は、ECMがないため無料で自由に視聴することができる。
２．デジタルTVからB-CASカードへのECMの転送状況を検出して、ECMが一定時間以上検出されない場合はデジタルTVの電源がOFFになったと判断して、課金支払いの計測を停止するので、無料放送の受信中はECMがないため時間計測が停止し、課金されることなく無料視聴でき、ECMが検出される場合はデジタル放送有りと判断して視聴制限して有料化することができる。
３．課金が支払われなくてもRF信号のON/OFF制御を行う方式ではないので、視聴制御を行ってもEPGデータへの悪影響がない。
４．課金が支払われなくてもデジタルTVの主電源を止める方式ではないため、視聴制御を行ってもEPGデータへの悪影響がない。
５．課金が支払われなくてもB-CASカードに対しては正規のECMを転送しているので、B-CASカードに対する悪影響がない。
６．デジタルTVに対して、偽スクランブルキーを転送するが、そのデータ形式は正規のスクランブルキーと同じであるため、デジタルTVのスクランブル回路への悪影響もない。
７．市販のデジタルTVに視聴制御装置を接続するだけで視聴制御ができ、送出側への高価な付属機器の設置が不要であるため、システム導入コストが安価になる。
【００２３】
本願発明のデジタルテレビ視聴制御デジタルテレビ放送視聴制御システムは次のような効果がある。
１．既存のデジタル放送視聴システムに、PETカードリーダ、コインタイマーなどの課金検出装置等を組み合わせることにより、手軽に有料放送制御システムを構築できるため、システム導入コストが安い。
２．デジタルTVの電源を制御するリレーなどの機器を設ける必要がないため、コストアップにもならない。
３．デジタルTVに付属のリモコンでデジタルTVをONにして、無料放送以外の放送を視聴しているときだけタイマーを動作させて視聴制御するので、タイマー時間制御のための専用の有線リモコンが不要となり、操作し易い。
【図面の簡単な説明】
【００２４】
【図１】本願発明のデジタルテレビ放送視聴制御システムの一例を示す説明図。
【図２】従来のアナログテレビ放送視聴制御装置の一例を示す説明図。
【発明を実施するための形態】
【００２５】
本願発明のデジタル放送視聴制御方法及び視聴制御システムの一例を図１に基づいて説明する。図１のデジタルテレビ放送視聴制御システムは市販のデジタルTV１に本願発明の視聴制御装置２を接続した場合の例である。
【００２６】
（既存のデジタルテレビ放送視聴制御方法の説明）
図１の視聴制御システムの説明に先立って、通常のデジタルテレビ放送の視聴システムを説明する。市販のデジタルTVに付属のリモコンでデジタルTVをONにすると、スクランブルのかかったRF信号（デジタル放送信号）がデジタルTVのチューナに受信される。デジタルテレビ放送信号と共に送られるECMが、デジタルTV内のマイコン（CPU）を経由してデジタルTV内のB-CASカードに送られ、スクランブルキーが要求される。B-CASカードは前記要求に応じて、スクランブルキーをCPU経由でデジタルTV内のデスクランブラに転送する。デスクランブラは前記スクランブルキーによりデジタルテレビ放送のスクランブルを解除してデジタルTVでデジタルテレビ放送が視聴可能となる。
【００２７】
（本願発明のデジタルテレビ放送視聴制御システムの実施形態）
図１の視聴制御システムは、市販のデジタルTV１に、視聴制御装置２を接続したものである。図１の３はデジタルTV１と視聴制御装置２を連結するための連結具、４はデジタルTVに付属のリモコンである。
【００２８】
前記視聴制御装置２は、スイッチ（SW：電子スイッチ）５、デジタルTVに付属のデジタル放送視聴用ICカード（通称：B-CASカード）を実装可能なB-CASカード実装部６、マイコン（CPU）７、課金検出器８、表示器９を備えている。
【００２９】
前記連結具３は、デジタルTV１の接続部１aに実装可能なTV側接続部３ａと、視聴制御装置２の接続部２ａに接続可能な装置側接続部３ｂを備えたものである。TV側接続部３ａはデジタルTV１の接続部１ａに、装置側接続部３ｂは視聴制御装置２の接続部２ａに接続可能であれば、コネクタ形式、カード形式、他の形式のいずれの形式であってもよいが、TV側接続部３ａはデジタルTV１の接続部１ａを介してデジタルTV１内のB-CASカード実装部６に接続され、装置側接続部３ｂは接続部２ａを介して視聴制御装置２のスイッチ５及びCPU７に接続される必要がある。
【００３０】
B-CASカードはデジタルTV１に付属の既存のものであり、ID番号およびマスター鍵が格納された接触型ICカードであり、通常は、デジタルTV１のB-CASカード実装部６にセットされて、暗号化された（スクランブルされた）デジタル放送コンテンツを視聴可能にするものである。視聴制御装置２内の前記B-CASカード実装部６はデジタルTV１に付属のB-CASカードを実装（差込み）できるものである。
【００３１】
前記CPU７は視聴制御装置２のスイッチ５、課金検出器８、表示器９等を制御するものであり、それら機器の制御に適した機能やソフトウエアを備えている。
【００３２】
前記課金検出器８にはコインタイマーやPETリーダー等を使用することができる。コインタイマーはコインの投入、PETリーダーはそれに実装されたPETカードの差込を確認でき、コイン投入後の有効残存金額を計測したり、PETカード差込後の有効時間（残存時間）等を計測したりできるものである。
【００３３】
前記表示器９は課金検出器８での計測に基づいて各種情報、例えば、視聴可能な残り時間、残金、その他、視聴者に必要な情報を数値、文字等で表示できるものである。
【００３４】
（デジタルテレビ放送視聴制御方法の実施形態１）
本願発明のデジタルテレビ視聴制御方法の一例を図１に基づいて説明する。
市販のデジタルTV１をそれに付属のリモコン４でONにすると、デジタルTV１は視聴制御装置２へのB-CASカードの挿入／未挿入を確認し、挿入されている場合は、B-CASカードに対してECMを転送し、スクランブルキーの要求をする。
【００３５】
課金検出器８にコインを投入するか、有効なPETカードを挿入すると、CPU７が課金料金の支払いを検出し、スイッチ５をスルー状態に制御して、デジタルTV１から転送されECMと、視聴制御装置２内のB-CASカードからデジタルTV１に戻るスクランブルキー（信号）がスイッチ５を介して相互に伝送可能となるようにする。
【００３６】
デジタルTV１は受け取った解除キーで、デジタルテレビ放送及び有料テレビ放送のスクランブルを解除（デスクランブル）して、デジタルTV１に画像が映るようにする。
【００３７】
課金検出器８で課金料金の支払いを検出できない場合（例えば、コインタイマーの時間切れ、PETカードが無効等の場合）は、CPU７がスイッチ５を制御して、ECMは通すがB-CASカードから出力されるスクランブルキーは止め、代わりにCPU７から偽スクランブルキーをデジタルTV１に転送する。偽スクランブルキーは、データ形式は正規のスクランブルキーと同じであるが、データ内容は正規のスクランブルキーとは異なって、スクランブル前のデータを復元することのできない（スクランブルを解除できない）内容（キー）である。
【００３８】
デジタルTV１は偽スクランブルキーでスクランブルの解除を試みるが解除できず、デジタルTV１に映像が映らない（視聴が制限される）。このとき、B-CASカードに対して正規のECMを転送しているので、B-CASカードに対する悪影響はない。デジタルTV１に対して偽スクランブルキーを転送するが、そのデータ形式は正規のスクランブルキーと同一であるためデジタルTV１のデスクランブル回路への悪影響もない。
【００３９】
課金支払いがコインタイマーへのコインの投入により行われた場合はコインタイマーで時間計測して、カード読み取り機へのPETカードの挿入により行われた場合はカード読み取り機でPETカードの有効時間や残金を計測して、夫々、残時間、残額等を表示器９に表示することができる。これら計測中にCPU７がデジタルTV１からB-CASカードへのECMの転送を監視し、ECMが一定時間以上転送されないときは、デジタルTV１の電源がOFFにされたと判断して、タイマー時間の計測、PETカードの有効期間の計測を止め、表示器９への前記表示をOFFにする。ECMは地上デジタル放送の場合、数秒周期で転送されるので、CPU７によるECMの転送監視時間（監視時間）をその時間以上に設定し、その時間内でECMを監視すれば、ECMの有無によりデジタルTV１のON/OFF、又は無料放送（スクランブルのかかっていない放送やECMのない院内の案内放送や緊急放送等）であるか否かを検出することができ、ECM有りの場合（デジタルテレビ放送の場合）は視聴制限し、ECM無しの場合は視聴制限することなく無料視聴可能とすることができる。
【００４０】
リモコン４でデジタルTV１の電源をOFFにすると、デジタルTV１はB-CASカードに対するECMの転送を停止する。再び、デジタルTV１の電源がONになると、ECMの転送が開始され、CPU７でECMの転送開始を検出し、タイマー時間の計測、PETカードの有効期間の計測を開始する。
【００４１】
（デジタルテレビ放送視聴制御方法の実施形態２）
この実施形態は基本的にはデジタルテレビ放送視聴制御方法の実施形態１と同じであるが、異なるのは、前記課金検出器８で課金料金の支払いを検出できない場合に、CPU７がスイッチ５を制御してECMデータの転送を止め、ECM転送時間及びB-CASカード処理時間の経過後に、CPU７から前記と同様の偽スクランブルキーをデジタルTV１に送るようにしたことである。この場合も、偽スクランブルキー受けたデジタルTV１は、スクランブルの解除を試みるが解除することができないため、デジタルTV１に映像が映らない（視聴が制限される）。
【００４２】
この実施形態でも、B-CASカードに対して正規のECMを転送しないが、デジタルTV１への偽スクランブルキーの送信を、ECM転送時間及びB-CASカード処理時間の経過後に行うため、B-CASカードに対する悪影響はない。また、偽のスクランブルキーは、データ内容は偽である（正規のスクランブルキーと異なる）が、データ形式は正規のスクランブルキーと同一であるため、デジタルTV１のデスクランブル回路への悪影響もない。
【産業上の利用可能性】
【００４３】
本願発明は、放送コンテンツの視聴制限であれば、前記した以外の施設やシステムでも利用できる。
【符号の説明】
【００４４】
１    デジタルTV
１ａ  デジタルTVの接続部
２    視聴制御装置
２ａ  視聴制御装置の接続部
３    連結具
３ａ  TV側接続部
３ｂ  装置側接続部
４    リモコン
５    スイッチ（SW）
６    B-CASカード実装部
７    マイコン（CPU）
８    課金検出器
９    表示器
Ａ    アナログTV
Ｂ    リレー
Ｃ    視聴制御装置（STB）
Ｄ    RFスイッチ（RF SW）
Ｅ    リモコン
Ｆ    CPU
Ｇ    課金検出器
Ｈ    表示器
【要約】
【課題】課金なしではデジタルテレビ放送を視聴不可とするシステムで有効に視聴制限ができ無料の放送は無料で自由に視聴可能とする。
【解決手段】  デジタルTVと視聴制御装置を連結具で接続し、デジタルTVに付属のB-CASカードを前記視聴制御装置にセットし、デジタルTVをリモコンでONにすると課金支払い状況を検出し、課金支払いが検出されるとECMがデジタルTVから視聴制御装置のB-CASカードに転送され、B-CASカードから前記デジタルTVにスクランブルキーが戻され、そのスクランブルキーによりデジタルテレビ放送のスクランブルが解除されて、前記デジタルTVで当該デジタルテレビ放送を受像することができ、課金支払いが検出されないときは、前記ECMが前記視聴制御装置のB-CASカードに転送されず、B-CASカードからデジタルTVにスクランブルキーが送られず、当該スクランブルキーの代わりに、偽スクランブルキーが前記視聴制御装置からデジタルTVに送られるか、又は、ECM転送時間及びB-CASカードの処理時間経過後に当該スクランブルキーの代わりに前記偽スクランブルキーがデジタルTVに送られて、デジタルTVがデジタルテレビ放送のスクランブルが解除されずにデジタルテレビ放送を受像できないが、無料テレビ放送は受像できるようにした。
【選択図】図１【図１】
0004791610.tif 000002
【図２】
0004791610.tif 000003